(57)【要約】【課題】専用の登録装置を使用せずに、個体管理用シリアルコードと付加情報を製品に自動的に登録することができる自動採番方式を提供する。【解決手段】電子機器１０１の個体管理用のシリアルコードを登録する台帳ファイル１０６及びシリアルコードに対応して付加する付加情報を格納する採番情報管理ファイル１０５を格納する外付けメモリ１０４を備え、電子機器１０１自体に、不揮発性メモリ１０３と、外付けメモリ１０４の台帳ファイル１０６に登録されている最新のシリアルコードを取得してそれを更新するとともに、この更新されたシリアルコードに対応する付加情報を前記採番情報管理ファイル１０５から取得し、更新したシリアルコード及び付加情報を不揮発性メモリ１０３に登録するとともに、更新したシリアルコードを台帳ファイル１０６に登録する採番処理手段とを備える。【選択図】図１
2006072644.tif 000002
【特許請求の範囲】
【請求項１】
製品の個体管理用のシリアルコードを登録する台帳ファイル及び前記シリアルコードに対応して付加する付加情報を格納する採番情報管理ファイルを格納する外付けメモリを前記製品に着脱自在に備え、
前記製品自体に、不揮発性メモリと、
前記外付けメモリの前記台帳ファイルに登録されている最新のシリアルコードを取得してそれを更新するとともに、この更新されたシリアルコードに対応する付加情報を前記採番情報管理ファイルから取得し、前記更新したシリアルコード及び前記付加情報を前記不揮発性メモリに登録するとともに、前記更新したシリアルコードを前記台帳ファイルに登録する採番処理手段と、
を備えたことを特徴とする自動採番方式。
【請求項２】
採番処理手段に、不揮発メモリに登録された個体管理用シリアルコードと付加情報を読み出す読み出し手段と、
読み出した前記個体管理用シリアルコードと前記付加情報を検査する検査手段と、
を備えたことを特徴とする請求項１記載の自動採番方式。
【請求項３】
外付けメモリに、製品の出荷管理をするための製品管理ファイルを備え、
採番処理手段に、不揮発メモリに登録された個体管理用シリアルコードと付加情報を読み出す読み出し手段と、
読み出した前記個体管理用シリアルコードと前記付加情報を前記製品管理ファイルに書き込む書き込み手段と、
を備えたことを特徴とする請求項１記載の自動採番方式。
【発明の詳細な説明】
【技術分野】
【０００１】
この発明は電子機器等の製品の個体管理用シリアルコードと付加情報を関連付けて製品に登録する自動採番方式に関するものである。
【背景技術】
【０００２】
従来の自動採番方式においては、個体管理用シリアルコードに付加するユニークコードを格納している採番情報管理ファイルと、前記採番情報管理ファイルを参照して番号を取得すると共にその番号を更新する手段と、入力された付加情報と取得した番号を関連づけて登録しておく台帳ファイルから構成される専用の登録装置を必要としていた（例えば、特許文献１参照）。
【０００３】
【特許文献１】特開平０５−３１４１４７号公報（段落０００５〜００１５、図１〜５）
【発明の開示】
【発明が解決しようとする課題】
【０００４】
従来の自動採番方式は以上のように構成されているので、付加情報と取得した番号を関連づけて登録しておく台帳ファイルを自動生成する専用装置を設けて、オペレータが台帳ファイルから付加情報と取得した番号等のデータを読み出して、製品にデータを手動で登録していた。このような構成では、付加情報のバイト数が多い場合にはデータの入力が困難であり、台帳ファイルの情報を電子機器に入力する際の誤操作によって、番号抜けや番号重複が発生するなどの問題点があった。
【０００５】
この発明は上記のような問題を解消するためになされたもので、専用の登録装置を使用せずに、個体管理用シリアルコードと付加情報を製品に自動的に登録し、誤登録を防止することができる自動採番方式を提供することを目的とする。
【課題を解決するための手段】
【０００６】
この発明に係る自動採番方式は、製品の個体管理用のシリアルコードを登録する台帳ファイル及び前記シリアルコードに対応して付加する付加情報を格納する採番情報管理ファイルを格納する外付けメモリを前記製品に着脱自在に備え、前記製品自体に、不揮発性メモリと、前記外付けメモリの前記台帳ファイルに登録されている最新のシリアルコードを取得してそれを更新するとともに、この更新されたシリアルコードに対応する付加情報を前記採番情報管理ファイルから取得し、前記更新したシリアルコード及び前記付加情報を前記不揮発性メモリに登録するとともに、前記更新したシリアルコードを前記台帳ファイルに登録する採番処理手段と、を備えたものである。
【発明の効果】
【０００７】
この発明によれば、製品自体に、不揮発性メモリと、外付けメモリの台帳ファイルに登録されている最新のシリアルコードを取得してそれを更新するとともに、この更新されたシリアルコードに対応する付加情報を採番情報管理ファイルから取得し、更新したシリアルコード及び付加情報を不揮発性メモリに登録するとともに、更新したシリアルコードを台帳ファイルに登録する採番処理手段と、を備えたので、専用の登録装置を使用せずに、個体管理用シリアルコードと付加情報を製品に自動的に登録し、誤登録を防止することができる。
【発明を実施するための最良の形態】
【０００８】
実施の形態１．
図１はこの発明の実施の形態１を示す自動採番方式の構成を示すブロック図、図２は自動採番方式の採番情報管理ファイルのデータ構成を示す図、図３は台帳ファイルのデータ構成を示す図、図４は自動採番方式の動作を示すフローチャートである。
【０００９】
図１において、自動採番方式は、製品、例えば電子機器１０１に着脱され、電子機器１０１の個体管理用のシリアルコードを登録しておく台帳ファイル１０６及びシリアルコードに対応して付加する付加情報を格納する採番情報管理ファイル１０５を格納する外付けメモリ（例えば、メモリスティック）１０４を備え、電子機器１０１自体には、外付けメモリ１０４の台帳ファイル１０６に登録されている最新のシリアルコードを取得してそれを更新するとともに、この更新されたシリアルコードに対応する付加情報を前記採番情報管理ファイル１０５から取得する採番処理手段である処理実行部１０２と、この処理実行部１０２で更新されたシリアルコード及び付加情報を記憶する不揮発性メモリ１０３とを備えている。
なお、処理実行部１０２は、電子機器１０１の制御用汎用のマイコン等に設けられており、外付けメモリ１０４は、ＵＳＢインタフェース等で電子機器１０１に接続される。
【００１０】
図２において、採番情報管理ファイル１０５のデータ構成は、ユニークコードを管理するための一連番号である管理番号２０１、付加情報である５１２バイトのユニークコード２０２からなる。
【００１１】
図３において、台帳ファイル１０６のデータ構成は、図３（ａ）に示す更新管理テーブルと図３（ｂ）に示すシリアルコードテーブルからなり、更新管理テーブルは、採番済みのシリアルコード３０２の位置を示す採番済ポインタ３０１、電子機器の個体管理用として製造番号等が登録されるシリアルコードを示す採番済シリアルコード３０２からなる。  シリアルコードテーブルは管理番号３０３と登録されている電子機器の個体管理用のシリアルコード３０４からなり、管理番号３０３が１〜３５５３４までは採番済みであり、３５５３５〜６５５３６が未採番である。
【００１２】
次に、この発明の実施の形態１の動作を図４により説明する。
先ず、ステップＳ４０１で、製品の電子機器に採番情報管理ファイル１０５と台帳ファイル１０６が格納された外付けメモリ（メモリスティック）１０４を接続した状態で、ステップＳ４０２の電子機器１０１の電源を投入すると、ステップＳ４０３で電子機器１０１の処理実行部１０２は、更新管理テーブルを読み込む。ステップＳ４０４で採番済ポインタをインクリメントして採番するシリアルコードテーブルのポインタを計算し、ステップＳ４０５で最新のシリアルコード３０２をインクリメントして採番するシリアルコードを計算する。ステップＳ４０６で最新のポインタに従ってシリアルコードテーブルから管理番号を読み込む。
【００１３】
具体的には、図３に示すように、ステップＳ４０４においては採番済ポインタ３５５３４に＋１として３５５３５が採番するシリアルコードテーブルのポインタ（管理番号）となる。ステップＳ４０５において、シリアルコード４００３５５３３に＋１として３５５３４（図示せず）が採番するシリアルコードとなる。
【００１４】
次に、ステップＳ４０７で管理番号に従って採番情報管理ファイル１０５からユニークコード２０２を読み込む。具体的には、ステップＳ４０６で読み込まれた管理番号３５５３５に対応するユニークコード２０２を図２から読み込む。
次に、ステップＳ４０８では、ステップＳ４０５で計算されたシリアルコード３０４と
４０７で取得したユニークコード２０２を電子機器内部の不揮発性メモリ１０３に書き込む。このとき、採番情報管理ファイル１０５から読み込まれた１データが予め決められたアドレスに書き込まれる。そして、不揮発性メモリ１０３への書き込みが完了した時点のステップＳ４０９で、外付けメモリ１０４の台帳ファイル１０６の更新管理テーブルの採番済ポインタと採番済シリアルコードを最新の状態に書き換える。
【００１５】
具体的には、不揮発メモリ１０３に、図３に示された管理番号３５５３５のシリアルコード（図示せず）と、図２に示された管理番号３５５３５のユニークコードが書き込まれ、外付けメモリ１０４の台帳ファイル１０６の更新管理テーブルの採番済ポインタ３０１は３５５３５、採番済シリアルコード３０２は４００３５５３４とに書き換えられる。
【００１６】
このようにして、外付けメモリ１０４は１台目の電子機器の更新が完了後、外して２台目の電子機器に接続して、ステップＳ４０１からステップＳ４０９の処理を行うと、同様にして次のシリアルコード３０４とユニークコード２０２が登録される。
【００１７】
なお、採番情報管理ファイル１０５と台帳ファイル１０６は予め業界団体等から支給されたマスターテーブルからパソコン等で生成される。
【００１８】
以上のように、専用の登録装置を使用せずに、個体管理用シリアルコードと付加情報を製品に自動的に登録し、オペレータの誤操作による番号抜けや番号重複等を防止することができる。
【００１９】
実施の形態２．
本実施の形態は、実施の形態１で電子機器１０１に書き込まれたデータをチェックするものである。
図５は実施の形態２の自動採番方式の動作を示すフローチャートである。
【００２０】
本実施の形態は、実施の形態１の図１の電子機器１０１の処理実行部１０２に、不揮発メモリ１０３に登録された個体管理用シリアルコードと付加情報を読み出す読み出し手段と、読み出した個体管理用シリアルコードと付加情報を検査する検査手段を備えたものであり、他は、図１と同じ構成なので説明を省略する。
なお、読み出し手段はメモリドライバであり、検査手段はＣＲＣチェックを処理するソフトウェアであり、電子機器１０１の制御用汎用のマイコン等に設けられている。
【００２１】
次に、この発明の実施の形態１の動作を図６により説明する。ステップＳ５０１〜５０９は実施の形態１の図４のステップＳ４０１〜４０９と同じなので説明を省略する。
ステップＳ５１０で不揮発性メモリ１０３のシリアルコードとユニークコードを読み出し手段により読み込み、ステップＳ５１１で検査手段により、シリアルコードとユニークコードが正しく書き込まれているかチェックし、正しく書き込まれていない場合はステップＳ５０３に戻り一連の処理をやり直す。正しく書き込まれていれば終了する。
【００２２】
以上のように、個体管理用シリアルコードとユニークコードを製品に自動的に登録し、さらに、登録されたデータをチェックするので、誤登録をよりよく防止することができる。
【００２３】
実施の形態３．
図６はこの発明の実施の形態３を示す自動採番方式の構成を示すブロック図、図７は自動採番方式の製品管理ファイルのデータ構成を示す図、図８は自動採番方式の動作を示すフローチャートである。
図６において、実施の形態１の図１と同一または相当部分には同一の符号を付し説明を省略する。電子機器１０１の処理実行部１０２に、不揮発メモリ１０３に登録された個体管理用シリアルコードとユニークコードを読み出す読み出し手段と、読み出された個体管理用シリアルコードとユニークコードを製品管理ファイル１０９に書き込むＳＣＳＩドライバ等の書き込み手段が設けられ、外付けメモリ１０４に製品出荷後のデータを管理する製品管理ファイル１０９がさらに設けられている。
【００２４】
図７において、製品管理ファイル１０９のデータ構成は、製品の製造番号を示すシリアルコード７０１、付加情報である５１２バイトのユニークコード７０２からなる。
【００２５】
次に、この発明の実施の形態３の動作を図８により説明する。ステップＳ８０１〜８０９は実施の形態１の図４のステップＳ４０１〜Ｓ４０９と同じなので説明を省略する。ステップＳ８１０で不揮発性メモリ１０３に記録されたシリアルコードとユニークコードを読み直して、ステップＳ８１１で製品出荷後のデータを管理する製品管理ファイル１０９に、図７に示すようにシリアルコード７０１とユニークコード７０２を登録する。シリアルコード７０１とユニークコード７０２は製品毎に一行ずつ順次登録されていく。
【００２６】
以上のように、個体管理用シリアルコードとユニークコードを製品自体毎に自動的に登録するとともに、製品管理ファイル１０９に自動的に登録することができる。
【図面の簡単な説明】
【００２７】
【図１】この発明の実施の形態１を示す自動採番方式の構成を示すブロック図である。
【図２】この発明の実施の形態１を示す自動採番方式の採番情報管理ファイルのデータ構成を示す図である。
【図３】この発明の実施の形態１を示す自動採番方式の台帳ファイルのデータ構成を示す図である。
【図４】この発明の実施の形態１を示す自動採番方式の動作を示すフローチャートである。
【図５】この発明の実施の形態２を示す自動採番方式の動作を示すフローチャートである。
【図６】この発明の実施の形態３を示す自動採番方式の構成を示すブロック図である。
【図７】この発明の実施の形態３を示す自動採番方式の製品管理ファイルのデータ構成を示す図である。
【図８】この発明の実施の形態３を示す自動採番方式の動作を示すフローチャートである。
【符号の説明】
【００２８】
１０１  電子機器、１０２  処理実行部、１０３  不揮発性メモリ、１０４  外付けメモリ、１０５  採番情報管理ファイル、１０６  台帳ファイル、１０９  製品管理ファイル、２０１  管理番号、２０２  ユニークコード、３０２  採番済シリアルコード、３０４  シリアルコード。
【図１】
2006072644.tif 000003
【図２】
2006072644.tif 000004
【図３】
2006072644.tif 000005
【図４】
2006072644.tif 000006
【図５】
2006072644.tif 000007
【図６】
2006072644.tif 000008
【図７】
2006072644.tif 000009
【図８】
2006072644.tif 000010